(57)【特許請求の範囲】
【請求項１】
化粧製品(P)をヒトのケラチン物質に塗布するためのアプリケータ部材(8)であって、平坦にされた全体形状及び2つの相対する主面(18、19)を有するアプリケータ頭部(9)を備え、前記アプリケータ頭部(9)
は、
-  少なくとも1つの筐体(40)を有する第1の部品(15)と、
-  ヒンジ(34;234)によって前記第1の部品(15)に連結され、前記第1の部品(15)の前記筐体(40)に少なくとも部分的に固定的に係合される第2の部品(17)と
を備え、
前記第１の部品（15）は、前記アプリケータ頭部(9)の前記2つの相対する主面(18、19)の各々からアクセス可能であり、前記第2の部品(17)は、前記アプリケータ頭部(9)の前記2つの相対する主面(18、19)の各々からアクセス可能であり、
前記筐体は、前記アプリケータ頭部の前記2つの相対する主面の各々から前記第2の部品へのアクセスを可能にする貫通した筐体である、アプリケータ部材。
【請求項２】
化粧製品をヒトのケラチン物質に塗布するためのアプリケータ部材であって、平坦にされた全体形状及び2つの相対する主面(18、19)を有するアプリケータ頭部(9)を備え、前記アプリケータ頭部(9)は、
-  少なくとも1つの筐体(40)を有する第1の部品(15)と、
-  ヒンジ(34)によって前記第1の部品(15)に連結され、前記第1の部品(15)の前記筐体(40)に少なくとも部分的に係合され、第1の使用において、前記アプリケータ部材とは別の容器を必要とすることなく前記化粧製品の塗布を可能とするために、塗布される前記化粧製品(P)を収容する第2の部品(17)と
を備え、
前記筐体は、前記主面の各々から前記第2の部品へのアクセスを可能にする貫通した筐体である、アプリケータ部材。
【請求項３】
前記第2の部品(17)は、塗布される前記化粧製品(P)を収容する、請求項1に記載のアプリケータ部材。
【請求項４】
前記第1および第2の部品(15、17)は、前記アプリケータ頭部(9)の前記主面(18、19)の各々から両方共アクセス可能である、請求項2に記載のアプリケータ部材。
【請求項５】
前記第2の部品(17)は、前記主面(18、19)のうちの少なくとも一方において、前記化粧製品を収容する空洞(70)を備える、請求項2または3に記載のアプリケータ部材。
【請求項６】
前記第2の部品(17)は、前記主面(18、19)のうちの少なくとも一方において、多孔質材料を備える、請求項2、3、および5のいずれか一項に記載のアプリケータ部材。
【請求項７】
前記ヒンジは、フィルムヒンジ(34)である、または、2つの柔軟な紐(234)を備える、請求項1から6のいずれか一項に記載のアプリケータ部材。
【請求項８】
ヒンジ(34;234)は、前記アプリケータ頭部(9)の遠位端から離して前記アプリケータ部材に配置される、請求項1から7のいずれか一項に記載のアプリケータ部材。
【請求項９】
前記第1および第2の部品(15、17)の少なくとも一方は、少なくとも部分的に植毛される、請求項1から8のいずれか一項に記載のアプリケータ部材。
【請求項１０】
前記第1および第2の部品(15、17)の他方は植毛されない、請求項9に記載のアプリケータ部材。
【請求項１１】
前記第1および第2の部品(15、17)の他方は少なくとも部分的に植毛され、前記第1の部品(15)の植毛(215)は前記第2の部品(17)の植毛(218)と異なる、請求項9に記載のアプリケータ部材。
【請求項１２】
前記第1および第2の部品(15、17)の少なくとも一方は、凸状起伏または凹状起伏を有する、請求項1から11のいずれか一項に記載のアプリケータ部材。
【請求項１３】
前記第2の部品(17)は、前記第1の部品(15)の前記筐体(40)において全体的に係合される、請求項1から12のいずれか一項に記載のアプリケータ部材。
【請求項１４】
前記第2の部品(17)は、前記アプリケータ部材が側方から見られたとき、前記第1の部品(15)から突出する、請求項1から13のいずれか一項に記載のアプリケータ部材。
【請求項１５】
前記第2の部品(17)は、起伏または印刷の形態での模様(80)または刻み込みを備える、請求項1から14のいずれか一項に記載のアプリケータ部材。
【請求項１６】
前記第2の部品(17)は、前記第1の部品(15)の前記筐体(40)のすべてを占める、請求項1から15のいずれか一項に記載のアプリケータ部材。
【請求項１７】
前記第2の部品(17)は、前記第1の部品(15)の前記筐体(40)の一部を占め、前記第1および第2の部品(15、17)は、製品が集まるように互いとの間に空間(60)を定める、請求項1から15のいずれか一項に記載のアプリケータ部材。
【請求項１８】
前記第2の部品(17)は、前記第1の部品(15)の前記筐体(40)において係合される固定タブ(90)を備える、請求項1から12のいずれか一項に記載のアプリケータ部材。
【請求項１９】
前記第2の部品(17)は貫通した開口(88)を備える、請求項1から18のいずれか一項に記載のアプリケータ部材。
【請求項２０】
前記第1の部品(15)は、前記貫通した開口(88)の中または下に挿入される固定フック(95)を備え、前記固定タブ(90)は、前記第2の部品(17)を前記第1の部品(15)と重ねて折り畳まれたままにするために前記固定フック(95)と協働する、請求項18を引用する請求項19に記載のアプリケータ部材。
【請求項２１】
前記固定フック(95)および前記固定タブ(90)の一方は、前記主面のうちの一方の表面と面一である、請求項20に記載のアプリケータ部材。
【請求項２２】
前記第1の部品(15)は、柔軟な材料から作られる、請求項1から21のいずれか一項に記載のアプリケータ部材。
【請求項２３】
前記第1および第2の部品(15、17)は、熱可塑性材料で成形された単一部品を形成する、請求項1から22のいずれか一項に記載のアプリケータ部材。
【請求項２４】
前記アプリケータ頭部(9)は、搭載または把持する端部品(30)に取り付けられる、請求項1から23のいずれか一項に記載のアプリケータ部材。
【請求項２５】
前記端部品(30)は、前記ヒンジ(34;234)によって一体に連結される2つの半体の端部品(30a、30b)から形成される、請求項24に記載のアプリケータ部材。
【請求項２６】
前記第1および第2の部品(15、17)は、スナップ留めまたは圧入によって、取り外し可能な手法で、使用形態において一体に固定される、請求項1から25のいずれか一項に記載のアプリケータ部材。
【請求項２７】
前記第1の部品(15)は植毛被覆(215)を担持し、前記第2の部品は、スパイク(217)を担持する、または、その逆である、請求項1から26のいずれか一項に記載のアプリケータ部材。
【請求項２８】
化粧製品(P)をヒトのケラチン物質に塗布するためのデバイスであって、
-  長手方向軸Xの柄部(4)と、
-  前記柄部の端に固定される、請求項1から27のいずれか一項に記載のアプリケータ部材(8)と
を備えるデバイス。
【請求項２９】
前記アプリケータ部材は請求項24または25によるものであり、前記端部品(30)は、前記柄部(4)の端(5)において開放凹所へと挿入される、請求項28に記載のデバイス。
【請求項３０】
前記アプリケータ部材は、製品(P)を皮膚および/または唇に塗布するためのものである、請求項28または29に記載のデバイス。
【請求項３１】
前記アプリケータ部材は、製品(P)を睫毛および/または眉毛に塗布するためのものである、請求項28から30のいずれか一項に記載のデバイス。
【請求項３２】
請求項1から27のいずれか一項に記載のアプリケータ部材を製造するための方法であって、
-  開放形態での前記アプリケータ部材の本体を成型するステップであって、前記本体が、
・  少なくとも1つの筐体(40)を有する第1の部品(15)、および、
・  ヒンジ(34;234)によって前記第1の部品(15)に連結され、前記第1の部品(15)に重ねて折り畳まれた後に前記筐体(40)に係合されるように意図される第2の部品(17)
を備える、ステップと、
-  接着剤を、前記第1および第2の部品(15、17)の一方に塗布するステップと、
-  植毛用剛毛(215;218)を前記接着剤に貼るステップと、
-  前記第2の部品(17)が前記第1の部品(15)の前記筐体(40)に少なくとも部分的に係合されるように、前記第2の部品(17)を前記第1の部品(15)に重なるように折り畳むステップ
と
を含む方法。
【請求項３３】
前記アプリケータ部材の前記本体は、前記第1および第2の部品(15、17)に遠位端においてそれぞれ取り付けられ、前記ヒンジ(34;234)によって、近位端(36a、36b)において一体に連結される2つの半体の端部品(30a、30b)を備える、請求項32に記載の方法。
【請求項３４】
請求項1から23のいずれか一項に記載のアプリケータ部材を柄部(14)に固定するステップを含む、請求項28から31のいずれか一項によるデバイスを製造するための方法。
【発明の詳細な説明】
【技術分野】
【０００１】
本発明は、ヒトのケラチン物質、具体的には、皮膚、唇、または睫毛および/もしくは眉毛への、化粧製品の塗布に関する。
【背景技術】
【０００２】
欧州特許出願EP2976162は、ヒトのケラチン物質、具体的には皮膚を処理するためのデバイスを開示しており、このデバイスは2つの部品を備え、これらの2つの部品は、取り外し可能な手法で一体に固定され、アプリケータの2つの相対する面を定めており、異なる処理を実行することを可能にしている。第1の面は、例えば、化粧製品を塗布することを可能にし、第2の面は、不純物を除去、洗浄、または吸収することを可能にする。
【０００３】
欧州特許出願EP1726235およびEP0792602は、塗布される化粧製品を保持するための空洞を備える化粧製品アプリケータを開示している。
【０００４】
化粧製品が含浸された発泡体を保持する筐体を備える植毛アプリケータが、欧州特許出願EP0839472から知られている。
【０００５】
欧州特許出願EP1070467は、ヒンジによって結合された第1の部品と第2の部品とを備え、分離面の異なる側に選択的に配置された歯の列を形成しているアプリケータを開示している。
【０００６】
米国特許出願第5007442号は、バネ作用による旋回によって連結された2本のロッドの端にアプリケータブラシと櫛アプリケータとを備え、バネ作用が外部力のないときにロッド同士を開かせるトング形の装置を、開示している。
【０００７】
WO2008/140152は、睫毛をカールするための挟み付け動作を実施するために、端において下方トングにヒンジ留めされた上方トングを備えるマスカラカール装置を開示している。
【０００８】
仏国特許出願FR2995017は、第1の部分において一連の剛毛を備えるアプリケータと、第1の部分にヒンジ留めされ得る第2の部分において、剛毛から離れた追加のアプリケータ要素とを開示している。
【先行技術文献】
【特許文献】
【０００９】
【特許文献１】欧州特許出願公開第2976162号
【特許文献２】欧州特許出願公開第1726235号
【特許文献３】欧州特許出願公開第0792602号
【特許文献４】欧州特許出願公開第0839472号
【特許文献５】欧州特許出願公開第1070467号
【特許文献６】米国特許出願第5007442号
【特許文献７】国際公開第2008/140152号
【特許文献８】仏国特許出願公開第2995017号
【発明の概要】
【発明が解決しようとする課題】
【００１０】
パッケージデバイスおよびアプリケータデバイスをさらに向上する必要があり、詳細には、製作するのが容易であり、新たな処理効果またはメーキャップ効果を得ることを可能にするデバイスから利益を得る必要がある。
【課題を解決するための手段】
【００１１】
したがって、本発明の態様のうちの1つによる本発明の主題は、化粧製品をヒトのケラチン物質に塗布するためのアプリケータ部材であって、2つの相対する面を有するアプリケータ頭部を備え、そのアプリケータ頭部は、
-  少なくとも1つの筐体を有する第1の部品と、
-  ヒンジによって第1の部品に連結され、第1の部品の筐体に少なくとも部分的に固定的に係合される第2の部品と
を備え、
第1および第2の部品は、アプリケータ頭部の前記面の各々から両方共アクセス可能である、アプリケータ部材である。
【００１２】
「固定的に係合される」ことで、本発明によるアプリケータでは、アプリケータ頭部の第2の部品が、第1の部品の筐体に係合されたままとなり、第1の部品に対して簡単に移動することができない。例えば、使用者によって、または、アプリケータ頭部が挿入される容器の襟部によって発揮される外部力は、係合を維持するために必要とされない。
【００１３】
アプリケータ頭部は、平坦にされた全体形状を有することができ、前記面は、主面に対応できる。
【００１４】
本発明は、第1および第2の部品において異なる表面状態および/または異なる材料でアプリケータ部材を製作するための新たな可能性を提供する。具体的には、本発明は、部品のうちの1つだけが植毛されることを、そのように望まれる場合に、非常に簡単に可能にする、または、部品が異なるように植毛されることを非常に簡単に可能にする。部品のうちの一方に限定されたこのような部分的な植毛は、アプリケータに魅力的な外観も与える。
【００１５】
「アプリケータ頭部の前記面の各々から両方共アクセス可能である」という表現は、これらの面の各々において、第1および第2の部品が、表面において少なくとも部分的に存在する、および/または、貫通した開口を通じてアクセス可能であることを意味するとして理解される。これは、望まれる場合、前記面のうちの一方からの化粧製品の塗布の間、ヒトのケラチン物質が第1および第2の部品の少なくとも一方と接触し、さらにより良くは、使用者が望む場合には両方と接触するように、アプリケータ部材を製作することを可能にすることができる。
【００１６】
アプリケータ部材の長さの少なくとも一部分に沿って、両方の部分が前記面の各々において視認可能であることが可能であり、変形では、アプリケータ部材の長さの少なくとも一部分に沿って、部品のうちの一方だけが前記面のうちの一方において視認可能である。これは、例えば、第1の部品が、スパイクを担持している第2の部品の上方部分が係合されるスロットの形態で筐体を有し、第2の部品が上方部分の基部において肩部を定める下方部品を備えるとき、および、第1の部品がこの肩部の縁から後退されているときといった場合である。
【００１７】
アプリケータ部材の本体は、熱可塑性材料を成形することで、単一部品で製作され得る。
【００１８】
好ましくは、第1の部品における筐体は貫通した筐体であり、それによって、アプリケータ頭部の前記面の各々から第2の部品へのアクセスを可能にする。
【００１９】
第2の部品は、塗布される製品を収容し得る。したがって、第2の部品は、前記面のうちの少なくとも一方において、塗布される化粧製品を収容する空洞を備え得る。好ましくは、空洞は、アプリケータに存在する隣接する剛毛同士または歯同士の間に形成された空間とは異なる。この製品は、例えば、口紅もしくはリップグロス、ファンデーション、マスカラ、またはアイシャドーの種類の半固形物であり、アプリケータ部材の使用の間にケラチン物質に直接的に接触する。
【００２０】
空洞に収容される製品は、多孔質構造の含浸のない、注がれる製品の塊、または、圧縮された製品の塊の形態であり得る。変形では、製品の塊は多孔質構造に含浸される。
【００２１】
したがって、変形では、第2の部品は、前記面のうちの少なくとも一方において、最初に使用される前に化粧製品で含浸され得る多孔質材料、または、変形では、最初の使用の間に製品で含浸され得る多孔質材料を備える。
【００２２】
望まれる場合、製品が取り込まれる必要がなく、製品がアプリケータ部材内に収容されているアプリケータ部材を製作する可能性は、デバイスの嵩張りを縮小することと、デバイスをより容易に使用させることとを可能にする。
【００２３】
変形では、使用者は製品の容器の使用を行え、アプリケータ部材は、例えば、使用中でないときにこの容器を閉じるように設計されたアプリケータに属する。
【００２４】
好ましくは、前述したヒンジは、アプリケータ頭部の遠位端から離してアプリケータ部材に配置される。ヒンジは、好ましくはフィルムヒンジである、または、2つの柔軟な紐を備える。ヒンジは、アプリケータ部材の本体と共に、熱可塑性材料から成形され得る。
【００２５】
第1および第2の部品の少なくとも一方、好ましくは第1の部品は、少なくとも部分的に、さらにより良くは全体に、植毛される。植毛用剛毛は、アプリケータ部材における化粧製品のより良好な保持を可能にし、処理される領域にわたって化粧製品を拡げることをより容易にする。好ましくは、第1および第2の部品の他方、特に第2の部品は、植毛されない。これは、望まれる場合、アプリケータ部材に集まる化粧製品の量を制限することを可能にする。
【００２６】
この他方の部品は、容器を形成する空洞なしで製作され得る。
【００２７】
1つまたは複数の起伏が、例えば、皮膚または唇へのマッサージ作用を発揮するために、または、睫毛もしくは眉毛を分けるために、この他方の部品に作られ得る。
【００２８】
変形では、この他方の部品は少なくとも部分的に植毛されるが、第1の部品の植毛は第2の部品の植毛と異なってもよく、具体的には、繊維の量、繊維の大きさ、および/または、例えば繊維の剛性といった繊維の物理的特性の観点で、異なってもよい。2つの異なる植毛は、化粧製品の塗布の間に異なる効果を有することを可能にできる。また、魅力的な審美的効果が、例えば繊維について異なる色を用いることで、得ることができる。
【００２９】
第1および第2の部品の少なくとも一方、好ましくは第2の部品は、凸状起伏または凹状起伏を、例えばスパイク、突起、隆条、溝、または空洞の形態で、特に規則正しい配置構成で有し得る。有利には、第1の部品は植毛され、第2の部品は、凸状起伏または凹状起伏を、例えばスパイクの形態で備える。スパイクの存在は、睫毛および/または眉毛への製品の塗布の間に、睫毛および/または眉毛を分けることを可能にもできる。
【００３０】
第1の部品は植毛被覆を担持でき、第2の部品は、スパイクを担持し、特に、1つもしくは複数の列の長手方向に延びるスパイクを担持する、または、その逆である。
【００３１】
凸状起伏は、化粧製品の塗布の間に、皮膚またはこの唇へのマッサージ効果をもたらすことを可能にするために製作されてもよい。凹状起伏は、アプリケータ部材への製品の堆積を促進でき、アプリケータ部材の自律性を高める。
【００３２】
第2の部品は、アプリケータ部材が水平状態において側方から見られたとき、第1の部品から上向きおよび/または下向きに突出できる。第2の部品は、滑らかとでき、第1の部品から上向きおよび/または下向きに突出する全体の形を有することができ、例えば、第1の部品の厚さより大きい直径を有する球の形態である。「側方から見る」という表現は、前記面同士の正中面に垂直である視界を示しており、この正中面は、アプリケータ頭部の平坦な平面に実質的に垂直である。
【００３３】
第2の部品は、起伏または印刷の形態での模様または刻み込みを担持し得る。
【００３４】
第2の部品は、第1の部品の筐体のすべてを占め得る。変形では、第2の部品は、第1の部品の筐体の一部だけを占め、第1および第2の部品は、製品が集まるように互いとの間に空間を定める。この空間は、例えば、アプリケータ部材が製品を収容する容器に浸されるとき、製品で満たされる。
【００３５】
第2の部品は、第1の部品の対応する筐体において全体で係合され得る。
【００３６】
第1の部品は、端において交わる2つの腕部を伴って製作され、互いとの間に、第2の部品が係合される筐体を定めてもよい。
【００３７】
前記面のうちの一方が前から見られたとき、第1の部品は第2の部品の周りすべてで延びてもよい。第1の部品は、第2の部品の周りすべてで植毛被覆を担持してもよい。
【００３８】
アプリケータ頭部は、前面図で、その自由端の方向において小さくなる幅を有し得る。
【００３９】
第2の部品の2つの腕部は、遠位の自由縁の方向で互いに向かって集まることができる。
【００４０】
アプリケータ頭部は、側方から見て、遠位の自由縁の方向で比較的小さく異なる、特に、その長さの90%に沿って、所与の場所における厚さから25%未満だけ異なる厚さを、有し得る。
【００４１】
第2の部品の輪郭は、断面において、および前から見られたときの、両方共、丸くされ得る。
【００４２】
第2の部品は、全体的ではなく、第1の部品の筐体において部分的に係合されてもよく、例えば、第2の部品の固定タブが第1の部品の筐体で係合される。したがって、第1の部品は、少なくとも部分的に、さらにより良くは全体的に、第2の部品を包囲する。
【００４３】
第2の部品は、第1の部品がそれを通ってアクセス可能である貫通した開口を備え得る。前記面のうちの一方が前から見られたとき、第2の部品の視認可能な表面は、少なくとも部分的に、さらにより良くは全体的に、第1の部品の視認可能な表面を包囲し得る。前記面のうちの他方が前から見られたとき、第1の部品の視認可能な表面は、少なくとも部分的に、さらにより良くは全体的に、第2の部品の視認可能な表面を包囲し得る。
【００４４】
好ましくは、第1の部品は、柔軟な材料、特にエラストマから作られる。
【００４５】
第1および第2の部品は、好ましくは、熱可塑性材料で成形された単一部品を形成する。
【００４６】
好ましくは、アプリケータ頭部は、アプリケータ部材の搭載または把持する端部品に取り付けられる。端部品は、好ましくは、前述のヒンジによって一体に連結される2つの半体の端部品から形成される。好ましくは、このヒンジは、アプリケータ頭部から離れた端部品の端に配置される。2つの半体の部品は、例えばアプリケータ柄部に搭載されるように作用するといった完全な端部品を形成するために、合わせて折り畳み式とされ得る。
【００４７】
アプリケータ部材は、2つの半体の端部品によって形成された、実質的に回転柱の形態での端部品を備えてもよく、各々の半体の端部品は、対応する部品の方向で拡がるフレア移行帯域によって、前記部品のうちの一方に取り付けられ得る。
【００４８】
アプリケータ部材の一部は、アプリケータの残りの部分に、特に異なる材料で、オーバーモールドされ得る。
【００４９】
アプリケータ頭部は、端部品の長手方向軸と並べられるその長手方向軸と共に延び得る。変形では、アプリケータ頭部の長手方向軸は、端部品の長手方向軸とゼロでない角度を形成する。
【００５０】
第1および第2の部品は、スナップ留めまたは圧入によって、容易に分解可能あるように、または、分解不可能であるように、使用形態において一体に固定され得る。第2の部品は、その周囲において、第1の部品における凹状起伏と協働する凸状起伏を備えてもよく、または、その逆であってもよい。変形では、2つの半体の端部品または第1および第2の部品は、第1および第2の部品を使用形態において維持することを可能にする他の協働する起伏を備える。
【００５１】
第1の部品は固定フックを備えてもよく、および/または、第2の部品は固定タブを備えてもよく、固定フックは第2の部品における貫通した開口の中または下に挿入され、固定タブは第1の部品の筐体に係合し、固定タブは、第2の部品を第1の部品と重ねて折り畳まれたままにするために固定フックと協働する。好ましくは、固定タブは、第2の部品を第1の部品と重ねて折り畳んでいる間、スナップ留めによって固定フックと係合する歯を有する。
【００５２】
好ましくは、固定フックおよび固定タブの一方、特に固定タブは、主面のうちの一方の表面と面一である。
【００５３】
さらなる変形では、第1および第2の部品は、一体に固定されず、一体に折り畳まれるだけである。したがって、第1および第2の部品は、例えば、柄部における凹所へのアプリケータ部材の端部品の導入によって保持され、端部品は、例えば凹所にぴったりと嵌まる、または、柄部は端部品によって圧着され、そのため、2つの半体の端部品と、結果として第1および第2の部品とは、一体に押し付けられて維持される。
【００５４】
いろいろな方法において、第2の部品は第1の部品の筐体に固定されて係合されたままとなる。
【００５５】
したがって、本発明の態様のうちの他のものによる本発明のさらなる主題は、化粧製品をヒトのケラチン物質に塗布するためのアプリケータ部材であって、2つの相対する面を有するアプリケータ頭部を備え、そのアプリケータ頭部は、
-  少なくとも1つの筐体を有する第1の部品と、
-  ヒンジによって第1の部品に連結され、第1の部品の筐体に少なくとも部分的に係合され、第1の使用において、アプリケータ部材とは別の容器を必要とすることなく化粧製品の塗布を可能とするために、塗布される製品を収容する第2の部品と
を備える、アプリケータ部材である。
【００５６】
好ましくは、本発明のこの第2の態様によれば、先に定められたアプリケータ部材に関して、第1および第2の部品は、アプリケータ頭部の主面の各々から両方共アクセス可能である。
【００５７】
第3の態様によれば、本発明の主題は、化粧製品を睫毛および/または眉毛に塗布するためのアプリケータ部材であって、
-  少なくとも1つの筐体を有する第1の部品と、
-  ヒンジによって第1の部品に連結され、第1の部品の筐体に少なくとも部分的に係合される第2の部品と
を有するアプリケータ頭部を備え、
第2の部品はスパイクを備え、第1の部品は植毛被覆を備える、アプリケータ部材である。
【００５８】
アプリケータ頭部は、筐体が開口する面を有してもよく、植毛被覆は、例えば、筐体の一方の側、または、筐体の両方の側において、筐体の開口の周りのすべてにおいて、または、筐体に沿って延びる。
【００５９】
本発明の態様のうちの他のものによる本発明のさらなる主題は、製品をヒトのケラチン物質に塗布するためのデバイスであって、
-  柄部と、
-  柄部の端に固定される、先に定めたような第1または第2の態様による、本発明によるアプリケータ部材と
を備えるデバイスである。
【００６０】
アプリケータ部材の端部品は、好ましくは、柄部の端において開放凹所へと挿入される。
【００６１】
好ましくは、デバイスは、塗布される化粧製品を収容する容器を備える。この容器は拭き取り部材を備えてもよい。
【００６２】
デバイスは、皮膚および/または唇への製品の塗布のために機能できる。変形では、デバイスは、睫毛および/または眉毛への製品の塗布のために構成される。
【００６３】
容器は、皮膚および/もしくは唇に塗布される製品、特にファンデーション、アイシャドー、コンシーラー製品、コンプレクションコレクタ、リップスティック、もしくはリップグロス、または、睫毛および/もしくは眉毛に塗布される製品、特にマスカラを収容し得る。
【００６４】
本発明の態様のうちの他のものによる本発明のさらなる主題は、本発明によるアプリケータ部材を製造するための方法であって、
-  開放形態でのアプリケータ部材の本体を成型するステップであって、前記本体が、
・  少なくとも1つの筐体を有する第1の部品、および、
・  ヒンジによって第1の部品に連結され、第1の部品に重ねて折り畳まれた後に筐体に係合されるように意図される第2の部品
を備える、ステップと、
-  接着剤を、第1および第2の部品の一方に、好ましくは第1の部品に塗布するステップと、
-  植毛用剛毛を接着剤に貼るステップと、
-  第2の部品が第1の部品の筐体に少なくとも部分的に係合されるように、第2の部品を第1の部品に重なるように折り畳むステップと
を含む方法である。
【００６５】
好ましくは、アプリケータ部材の本体は、第1および第2の部品に遠位端においてそれぞれ取り付けられ、ヒンジによって、近位端において一体に連結される2つの半体の端部品を備える。
【００６６】
第2の部品は、スナップ留めまたは圧入によって第1の部品に固定できる。変形では、第2の部品および第1の部品は、例えば、端部品が挿入される柄部といった追加の手段によって、一体に折り畳まれてこの状態で維持されるだけである。
【００６７】
本発明のさらなる主題は、先に定めたようなアプリケータ部材を、例えば、柄部の端における開放筐体への端部品の挿入によって、柄部に固定するステップを含む、本発明によるデバイスを製造するための方法である。
【００６８】
本発明は、本発明の非限定的な例示の実施形態の以下の詳細な記載を読むことから、および、添付の図面を精査することから、よりよく理解され得る。
【図面の簡単な説明】
【００６９】
【図１】本発明によるパッケージおよび塗布のデバイスの例を示す図である。
【図２】本発明によるアプリケータ部材の例を示す概略図である。
【図３】図2におけるIIIに沿っての、図2のアプリケータ部材の前面図である。
【図４】図2におけるIVに沿っての、図2および図3のアプリケータ部材の側面図である。
【図５】開放形態での図2のアプリケータ部材の本体を示す図である。
【図６】図5におけるVIに沿っての、図5のアプリケータ部材の本体の上面図である。
【図７】図6におけるVIIに沿っての、図5および図6のアプリケータ部材の本体の側面図である。
【図８】図6におけるVIII-VIIIでの断面図である。
【図９】図6におけるIX-IXでの断面図である。
【図１０】図3におけるX-Xでの断面図である。
【図１１】本発明によるアプリケータ部材の変形の実施形態の概略的な斜視図である。
【図１２】図11におけるXIIに沿っての、図11のアプリケータ部材の前面図である。
【図１３】図11におけるXIIIに沿っての、図11および図12のアプリケータ部材の側面図である。
【図１４】図12におけるXIV-XIVでの断面図である。
【図１５】開放形態での図11のアプリケータ部材の本体を示す図である。
【図１６】図15におけるXVIに沿っての上面図である。
【図１７】図16におけるXVIIに沿っての側面図である。
【図１８】開放形態におけるアプリケータ部材の本体の変形の実施形態の概略図である。
【図１９】組み立てに続く、図18のアプリケータ部材の前面図を概略的に示す部分図である。
【図２０】本発明によるアプリケータ部材の変形の実施形態の概略的な斜視図である。
【図２１】本発明によるアプリケータ部材の変形の実施形態の概略的な斜視図である。
【図２２】本発明によるアプリケータ部材の変形の実施形態の概略的な斜視図である。
【図２３】本発明によるアプリケータ部材の変形の実施形態の概略的な斜視図である。
【図２４】本発明によるアプリケータ部材の変形の実施形態の概略的な斜視図である。
【図２５】本発明によるアプリケータ部材の変形の実施形態の概略的な斜視図である。
【図２６】本発明によるアプリケータ部材の変形の実施形態の概略的な斜視図である。
【図２７】本発明によるアプリケータ部材の変形の実施形態の概略的な斜視図である。
【図２８】アプリケータ部材の別の変形の前面図である。
【図２９】アプリケータ部材の別の変形の側面図である。
【図３０】開放形態での図29のアプリケータ部材を示す図である。
【図３１】本発明によるアプリケータ部材の変形の実施形態の概略的な斜視図である。
【図３２】図31におけるXXXII-XXXIIでの長手方向断面図である。
【図３３】図31におけるXXXIII-XXXIIIでの断面図である。
【図３４】開放形態での図31のアプリケータ部材の本体を示す図である。
【図３５】XXXVに沿っての、図34のアプリケータ部材の下面図である。
【図３６】本発明によるアプリケータ部材の変形を断面で示す図である。
【図３７】本発明によるアプリケータ部材の変形を断面で示す図である。
【図３８】本発明によるアプリケータ部材の変形を断面で示す図である。
【図３９】本発明によるアプリケータ部材の変形を断面で示す図である。
【図４０】本発明によるアプリケータ部材の変形を断面で示す図である。
【図４１】本発明によるアプリケータ部材の変形を断面で示す図である。
【図４２】本発明によるアプリケータ部材の変形を断面で示す図である。
【図４３】本発明によるアプリケータ部材の変形を断面で示す図である。
【図４４】本発明によるアプリケータ部材の変形を断面で示す図である。
【図４５】本発明によるアプリケータ部材の変形を断面で示す図である。
【図４６】本発明によるアプリケータ部材の変形を断面で示す図である。
【図４７】本発明によるアプリケータ部材の変形を断面で示す図である。
【図４８】本発明によるアプリケータ部材の変形を断面で示す図である。
【図４９】本発明によるアプリケータ部材の変形を断面で示す図である。
【図５０】本発明によるアプリケータ部材の変形を断面で示す図である。
【図５１】本発明によるアプリケータ部材の変形を断面で示す図である。
【図５２】本発明によるアプリケータ部材の変形を断面で示す図である。
【図５３】本発明によるアプリケータ部材の変形を断面で示す図である。
【図５４】本発明によるアプリケータ部材の変形を断面で示す図である。
【図５５】本発明によるアプリケータ部材の変形を断面で示す図である。
【図５６】本発明によるアプリケータ部材の変形を断面で示す図である。
【図５７】本発明によるアプリケータ部材の変形を断面で示す図である。
【図５８】本発明によるアプリケータ部材の変形を断面で示す図である。
【図５９】本発明によるアプリケータ部材の変形を断面で示す図である。
【図６０】本発明によるアプリケータ部材の変形を断面で示す図である。
【図６１】本発明によるアプリケータ部材の変形を断面で示す図である。
【図６２】本発明によるアプリケータ部材の変形を断面で示す図である。
【図６３】本発明によるアプリケータ部材の変形を断面で示す図である。
【図６４】本発明によるアプリケータ部材の変形を断面で示す図である。
【図６５】本発明によるアプリケータ部材の変形を断面で示す図である。
【図６６】本発明によるアプリケータ部材の変形を断面で示す図である。
【図６７】本発明によるアプリケータ部材の変形を断面で示す図である。
【図６８】本発明によって製作されたマスカラアプリケータの概略的な斜視図である。
【図６９】LXIX-LXIXにおける図68のアプリケータを貫く断面図である。
【図７０】アプリケータ部材の変形の斜視図である。
【図７１】図70のアプリケータを貫く断面を伴う図である。
【図７２】アプリケータ部材の変形の前面図である。
【図７３】図72のアプリケータの側面図である。
【図７４】ヒンジの変形の実施形態を示す図である。
【発明を実施するための形態】
【００７０】
図1に示したパッケージおよび塗布のデバイス1は、塗布される製品Pを収容する容器10と、容器に収容されている製品を取り出して塗布するためのアプリケータ3とを備えている。
【００７１】
アプリケータ3は、アプリケータ頭部9を備えるアプリケータ部材8を端のうちの一方5において担持している長手方向軸Xの柄部4を備えている。図2〜図4で見ることができるように、アプリケータ頭部9は、第1の部品15と、第1の部品15において係合されている第2の部品17とを備えており、これら2つの部品はヒンジ34によって一体に連結されている。
【００７２】
図示した例では、柄部4の軸Xは直線的であるが、変形では湾曲されてもよい。
【００７３】
容器10は、図示しているように、その上方部において首部21を備え得る。拭き取り部材24がこの首部21に係合されている。
【００７４】
図1に示しているように、柄部4には、その他方の端6において、容器10の漏れ止めの閉止のためのキャップを形成してもいる把持要素13が設けられている。
【００７５】
柄部4の遠位端5は、アプリケータ部材8の搭載する端部品30を受け入れる凹所を有している。
【００７６】
アプリケータ頭部9は、長手方向軸Tに沿って延びており、端部品30に取り付けられている。端部品30は、互いと接触していると共にヒンジ34によって一体に連結されている2つの半体の端部品30aおよび30bによって、形成されている。
【００７７】
2つの半体の端部品30aおよび30bは、第1の部品15および第2の部品17にそれぞれ連結されている。端部品30は、任意の手段によって、特に、接着剤結合、圧入、ステープル留め、ネジ留め、圧着、またはスナップ留めによって、柄部4において保持され得る。
【００７８】
好ましくは、2つの半体の端部品30aおよび30bは平坦面31aおよび31bを各々有し、平坦面31aおよび31bは、それらの全体表面領域位にわたって互いと接触する。変形では、これらの面は、例えばスナップ留めによって、協働する1つまたは複数の起伏を備えている。
【００７９】
したがって、他方の半体の端部品を受け入れるための凹状起伏75を備えるための半体の端部品30aまたは30bの一方についての可能性は、図18に示されている。
【００８０】
好ましくは、端部品30は、柄部における搭載の場合に回転柱の形態である。端部品は、特に把持のために直接的に作用するように意図されるとき、異なる手法で実現され得る。
【００８１】
好ましくは、ヒンジ34は、第1の部品15および第2の部品17から離れている2つの半体の端部品30aおよび30bの端36aおよび36bに配置されている。これは、2つの部品15および17と2つの半体の端部品30aおよび30bとを、開放形態において一体品で成型させることができ、図5〜図7に示しているように、第2の部品17および半体の端部品30bが端部品30の長手方向軸Zに垂直なヒンジ34の軸Yの周りに回転されることで、組み立てさせることができる。
【００８２】
アプリケータ頭部9は、図4の平面に垂直な平面Mにおいて全体的に平坦とでき、2つの相対する主面18および面19を定めている。好ましくは、アプリケータ頭部9は、端部品30の幅Dより大きい最も大きい幅Lを有する。
【００８３】
第1の部品15は、図1に示しているように、植毛されてもよく、第2の部品17は、図2に示しているように、複数の突条27などの起伏を備えてもよい。突条27は、好ましくは長手方向軸Tに対して斜めに延び、長手方向軸Tと角度βを形成する。
【００８４】
アプリケータ頭部9の長手方向軸Tは、端部品30の長手方向軸Zと、好ましくは45°未満であって、さらにより良くは10〜45°の間の角度αを、好ましくは形成する。
【００８５】
図5〜図7に示しているように、第1の部品15および第2の部品17は、関連する部品の方向で幅広となる対応する中間部分43aまたは43bによって、それぞれの半体の端部品30aまたは30bに各々取り付けられ得る。好ましくは、中間部分43aおよび43bは、一方が他方に重なって折り畳まれるとき、アプリケータ部材8が端部品30とアプリケータ頭部9との間で延びる部分において不連続がないように、対称である。
【００８６】
ヒンジ34は、図5〜図7で示しているように、好ましくはフィルムヒンジである。
【００８７】
ここでの例では、第1の部品15は、端において交わり、第2の部品17を受け入れるための特に貫通した筐体である筐体40を互いとの間に定める2つの腕部48を備えている。好ましくは、アプリケータ部材が図3にあるように前から見られたとき、第1の部品15は第2の部品17を包囲する。
【００８８】
筐体40および第2の部品17は、例えば、図示しているように、おおよそ卵形の輪郭を有している。
【００８９】
第2の部品17は、筐体40を全体的に満たし得る。
【００９０】
アプリケータ頭部9は、図4および図7に示しているように、その自由端に向かって若干細くなってもよい。
【００９１】
具体的に図8および図9において見ることができるように、第1の部品15および第2の部品17は、中間部品43aおよび43bの厚さdaおよびdbより大きい厚さeaおよびebをそれぞれ有し得る。
【００９２】
アプリケータ頭部の全体の厚さeは、図10で見ることができるように、その最も大きい幅Lより小さくてもよい。
【００９３】
図8に示しているように、第2の部品17は、おおよそ矩形の断面を有し、その周囲47において突条50を備え得る。
【００９４】
図9では、第1の部品15の各々の腕部48が対応する溝53を備え得ることが見て取れる。
【００９５】
図10に示しているように、突条50は、第2の部品17を第1の部品15に重ねて折り畳んでいる間、アプリケータ8を閉位置で維持するために、溝53にスナップ留めされる。
【００９６】
これは必ずしもそうでない場合もあり、具体的には、第1の部品15は、第2の部品17における溝にスナップ留めされる突条を備えてもよく、または、第1の部品15および第2の部品17がスナップ留めのための起伏をまったく有しないことも可能である。
【００９７】
図11〜図17は、主に第2の部品17の形および大きさにより図1〜図10に関して記載したものと異なる本発明の変形の実施形態を示している。
【００９８】
図11〜図13で見ることができるように、第2の部品17は、空間60がアプリケータ頭部9において第1の部品15と第2の部品17との間に残るように、筐体40を部分的にのみ満たし、これは、製品をアプリケータ頭部9において集めることができる。
【００９９】
第2の部品17は、具体的には正面図において円形の輪郭を有し、具体的には突起である凸状起伏65を有し、皮膚または唇へのマッサージ作用を発揮することを可能にできる。
【０１００】
2つの部分8aおよび8bが、柄部4における凹所へのアプリケータ部材8の挿入によって、所定位置で維持され得る。したがって、2つの半体の端部品30aおよび30bは一体に留め付けられる。
【０１０１】
図18および図19は、第2の部品17の形によって、図1〜図10において例と異なる変形の実施形態を示している。
【０１０２】
第2の部品17は、貫通した空洞ではない化粧製品Pを収容する空洞70を備えており、したがって、化粧製品Pは、アプリケータ部材の一方の側からアクセス可能なだけである。
【０１０３】
化粧製品Pは、例えば、アイシャドー、ファンデーション、口紅もしくはリップグロスの種類、またはマスカラのものである。
【０１０４】
半体の端部品30aおよび30bの一方は他方よりも幅広であり得る。例えば、凹状起伏75が、半体の端部品30bを受け入れるために、半体の端部品30aに沿って延びている。
【０１０５】
図20〜図27に示した変形では、第2の部品17は、異なる形の凸状起伏または凹状起伏を備えており、具体的には、図23、図25、および図26に示したような突起65、図20および図27に示したような斜めの隆条もしくは横断する隆条27、図24に示したような長手方向の溝72、図21および図22に示したような空洞74、または、図25に示したようなスパイク76を備えている。
【０１０６】
前から見られたとき、植毛されている長さの大部分に沿ってのアプリケータ頭部の輪郭は、図24および図25に示しているように、大まかには楕円形であってよく、図26および図27に示しているように、矩形であってよく、図22および図23にあるように、丸めによって連結された平行な側縁を有してもよく、または、図20および図21にあるように、丸め付けによって連結された外向きに出っ張る縁を有してもよい。
【０１０７】
図28に示した変形では、第2の部品17は、使用者を使用中に担持するのを助ける装飾的なロゴまたは刻み込みを表現している起伏80または圧痕を担持している。
【０１０８】
この図の例では、端部品は使用者によって直接的に把持されるように機能する。
【０１０９】
端部品30は、把持部材として機能するカバー要素へとさらに挿入されてもよい。この実施形態は、具体的には、ファンデーションを塗布することを可能にする。
【０１１０】
図29および図30に示した変形では、第2の部品17は、側面図において筐体40の両側から突出するように第1の部品15によって画定された筐体40に収められている、例えば球の形態といった、隆起83の形態である。この隆起83は、ケラチン物質をマッサージすることを可能にできる。
【０１１１】
図31〜図35は、主に2つの部品の形と、2つの部品が固定される手法とにより、図1〜図10に関して記載したものと異なる本発明の変形の実施形態を示している。
【０１１２】
第1の部品15および第2の部品17は、同様の寸法を有し、折り畳まれた状態で、互いと接触する。
【０１１３】
第2の部品17は、図33において見ることができる貫通した開口88と、筐体40に係合される固定タブ90とを備えている。この固定タブ90は歯100を有している。
【０１１４】
第1の部品15は、アプリケータ部材が折り畳まれた位置にあるとき、第2の部品17における貫通した開口88の中または下に配置される固定フック95を、固定フック95が面19から視認可能にアクセス可能なままであるように、備えている。固定タブ90、具体的には歯100と、フック95とは、図33に示しているように、互いと係合することになる。
【０１１５】
この例では、第1の部品15および第2の部品17は、折り畳まれた位置において、アプリケータ頭部9において自由空間110を定めている。
【０１１６】
好ましくは、図示しているように、固定タブ90は、アプリケータ部材が使用されるときにケラチン物質が固定タブ90の端と接触するように、面18と面一である。
【０１１７】
図31〜図35に示しているように、アプリケータ部材は、柄部への挿入のための端止めとして機能するフランジ120を備えてもよく、このフランジ120は、中間部品43aおよび43bと半体の端部品30aおよび30bとの間に形成されている。
【０１１８】
図36〜図59は、アプリケータ頭部の第1の部品15および第2の部品17の配置構成の様々な例を断面で示している。
【０１１９】
これらの図では、第1の部品と第2の部品との間に残るクリアランスが、明確にするために誇張されている場合もある。
【０１２０】
図36の例では、アプリケータ頭部は、平坦になっている平面Mに沿う平坦にされた全体の形を有している。図示しているように、第2の部品17は、例えば、砂時計の全体の形での断面を有し、第1の部品15の筐体40における相補的な形によって保持されている。アプリケータ部品は、平坦になっている平面Mに垂直であり得る対称の平面Sに対して対称の形を有し得る。
【０１２１】
図37の例では、アプリケータ頭部は断面においてアーモンドの全体の形を有している。アプリケータ頭部の相対する面18および面19の各々における第2の部品によって占められる程度は異なり得る。したがって、図示した例では、第2の部品17は、面19の部分より面18でより小さい部分を占めており、部分17はその基部においてより幅広となっている。第2の部品17によって定められている塗布表面の一部は、面19の側方においてより面18の側方において小さい曲率半径を有し得る。図37では、アプリケータ頭部は、対称の平面Sに対して対称の形を有するが、図示されていない変形では、アプリケータ頭部は、その長さに沿う中間で交差する正中面に対して、非対称な形を有する。
【０１２２】
図36における例にあるように、第2の部品は、その断面が面18と面19との間で細くなっており、これは、第2の部品を筐体40において所定位置に維持する。第2の部品が最も細くなる平面は、図示しているように、第1の部品15が、その最も幅広となっている平面と一致してもよい。図37の例では、アプリケータ頭部は、その厚さを通じた中間で交差する平面に対して非対称である断面を有している。
【０１２３】
図38の例では、アプリケータ頭部は、多角形状の全体の形であって、より具体的には、ここでの例では正方形を有する断面を有している。第2の部品17が受け入れられる筐体40は、例えば、大まかには4分の1の円の形態である凸状に向く表面を有する2つの腕部48の間に定められ得る。アプリケータ頭部は、多角形状の全体の形を伴う断面を有するとき、図示しているように、その厚さを通じた中間で交差する正中面に対して対称であり得る。図示されていない変形では、アプリケータ頭部は、不規則な多角形の形態で断面を有する。
【０１２４】
図39の例では、アプリケータ頭部は、例えば、楕円の全体の形といった、卵形を有する断面を有している。断面の主軸は、アプリケータ頭部にその厚さを通じた中間で交差する正中面Mに含まれ得る。アプリケータ部品は、正中面Mに垂直な対称の平面Sに対して対称な全体の形を有し得る。
【０１２５】
図40の例では、アプリケータ頭部は断面において円の全体の形を有し、この図では、第2の部品17がここでの面に依存して異なる各々の面18または19の領域を占め得ることが、見て取れる。したがって、図示した例では、第2の部品は、面18において細い中心の帯片と、面19において事実上全体の面とを占めており、面19の残りは、腕部48の下方部48iによって定められている。
【０１２６】
図41の例では、アプリケータ頭部は、断面において、例えば、図示しているように4つの葉部を伴う、多葉性の全体の形を有している。第2の部品17が受け入れられている筐体40は、左手および右手の葉部を構成している腕部48同士の間に定められている。アプリケータ頭部は、その厚さを通じた中間で交差する正中面Mに対して、および、直交平面Sに対して、対称である形を有し得る。
【０１２７】
図42における変形の実施形態は、第1の部品15における植毛繊維215の被覆の存在と、第2の部品17において、面18および面19の各々におけるスパイク217の存在とによって、図36における変形と異なっており、アプリケータは、より具体的には、睫毛および眉毛をメーキャップするために意図されている。スパイク217の数と、スパイク217の配置および/または形とは、面18と面19との間で異なってもよく、例えば、図42に示しているように、面18におけるスパイク217の数は、面19におけるスパイクの数より少ない。
【０１２８】
図43における例示の実施形態は、本質的に、第1の部品15の腕部48の相対する面における植毛の被覆215の存在と、第2の部品17において、面18および面19におけるスパイク217の存在とによって、図37における実施形態と異なっている。
【０１２９】
図における断面の上方側に対応する面18において、スパイク217は、例えば、平面Sと実質的に平行にすべて並べられており、面19では、スパイク217は実質的に径方向に配向されている。
【０１３０】
図42および図43に示しているように、スパイク217を植毛被覆218で覆うことも可能である。
【０１３１】
同じことが、植毛被覆215、スパイク217、および植毛被覆218の存在によって、図38および図39における例示の実施形態とそれぞれ異なる図44および図45における例示の実施形態に当てはまる。図示されていない変形では、植毛被覆218がない。
【０１３２】
同じことが、図46および図47における例示の実施形態に当てはまる。これらの図では、植毛被覆218が、スパイク217だけでなく、スパイク同士の間、または、具体的に図47に示しているような第2の部品17と第1の部品15との間で延びる第2の部品17の外側部も、覆うことができることが見て取れる。多葉性の第2の部品17の存在では、スパイク217は、例えば、各々の対応する葉部の部品において実質的に径方向に配向されている。第2の部品17の葉部のうちの1つと、第1の部品15の2つの葉部との間に形成された溝の存在によって、製品を集めさせ、アプリケータの自律性を高めさせることができる。
【０１３３】
図48〜図53における例は、第2の部品17における植毛被覆218の存在によって、図42〜図47における例と異なっている。
【０１３４】
図54〜図59における例は、第1の部品15および第2の部品17における植毛被覆215および218の存在によって、図36〜図41における例と異なっている。
【０１３５】
図示した例では、第2の部品17の植毛被覆218は、筐体40において、第1の部品15を向く第2の部品17の表面にわたって延びていない。図示されていない変形では、被覆218はこれらの表面において延びており、第1および第2の部品の組み立てによって、前記表面において延びる植毛被覆を隠すことを可能にし、それによって、面18および面19の各々においてきれいな輪郭を得ることを可能にする。
【０１３６】
同じことが、第1の部品にわたって延びる植毛被覆215に当てはまり得る。この被覆は、筐体40へと延び入ってもよく、第2の部品が所定位置にあるときに第2の部品によって部分的に隠され得る。
【０１３７】
第1の部品15および第2の部品17の植毛被覆215および218は、例えば、それらの長さ、それらの直径、使用される材料、および/またはそれらの色の観点において異なる植毛繊維から作られる。
【０１３８】
アプリケータ部材の他の例示の実施形態が図68および図69に示されている。この例では、第1の部品は、第2の部品17が受け入れられる筐体40を定めている2つの腕部48を備えており、第2の部品17は、面18の側においてスパイク217を担持しており、アプリケータ部材の後に対応する面19の側においてスパイクを有していない。スパイク217は、例えば、2つまたは3つの長手方向に延びる列といった、スパイクの1つまたは複数の列で例えば配置される。アプリケータ頭部は、面18の側において凹んでいる湾曲した全体の形を有し得る。第1の部品15は、具体的には図68において見ることができるように、面18の側において第2の部品17の周りすべてに延びる植毛被覆215を備え得る。第2の部品17は、第2の部品17がスナップ留めによって第1の部品15に保持されることを確実にするために、図69で見ることができるように、拡がっている上方部17sを有している。
【０１３９】
図70および図71における例示の実施形態は、図68および図69における例示の実施形態にかなり近い。しかしながら、面19は、第2の部品17によってアプリケータ部材の大部分にわたって定められており、第1の部品15は、面19の側においては、アプリケータ部材の端で、第2の部品17が存在しない遠位部分15dにわたって、視認可能なだけである。
【０１４０】
第2の部品17は、図71において見ることができるように、第1の部品と係合される長さの一部に沿って、第1の部品の長さ以上である長さに沿って延び得る。
【０１４１】
第2の部品は、アプリケータ部材8のための最も大きい幅の平面に据え付けられる肩部245を有し得る。
【０１４２】
図72および図73の例では、第1の部品15は面18の側にスパイク219を有しており、これらのスパイクは、図72において視認可能であり、第1の部品15の周囲の周りでも視認可能であり、第2の部品17は、このようなスパイクを有していない。第2の部品17は、植毛被覆を備えてもよいし、備えなくてもよい。
【０１４３】
第1の部品15は、アプリケータ部材が前から見られたとき、アプリケータ部材の遠位端の方向で集まる2つの腕部を有しており、図72にあるように、例えば図示しているように、滴形の全体の形になっている筐体40を腕部同士の間に形成している。
【０１４４】
第1の部品15の周囲の周りで延びるスパイク219は、アプリケータ部材の厚さを通じた実質的に中間でアプリケータ部材と交差する正中面Mに含まれる長手方向軸を各々有し得る。他のスパイク219は、図示しているようにこの正中面Mに実質的に垂直に配向され得る。
【０１４５】
当然ながら、スパイク配置構成の他の例が、本発明の範囲から逸脱することなく可能である。
【０１４６】
ヒンジは、部品15および部品17にそれらの近位端から離して各々取り付けられている2つの柔軟な紐234で、図74に示しているように実現され得る。紐は、成型構成において、上面図で一種のフレームを形成している。
【０１４７】
本発明は、図示した例に限定されていない。
【０１４８】
具体的には、図示した様々な例の特徴は、図示されていない変形の一部として組み合わされ得る。
【０１４９】
例えば、一般的な手法で、2つの部品が植毛されてもよく、植毛は異なっており、部品のうちの一方は、アプリケータの一方の側と他方の側とで異なる効果を有するように、一方の側においてある種類の起伏と、他方の側において異なる種類の起伏とを備えてもよい。
【０１５０】
「〜を備える」という表現は、「〜を少なくとも1つ備える」と同義である。
【符号の説明】
【０１５１】
1  パッケージおよび塗布のデバイス
3  アプリケータ
4  柄部
5  遠位端
6  端
8  アプリケータ部材
8a、8b  部分
9  アプリケータ頭部
10  容器
13  把持要素
15  第1の部品
15d  遠位部分
17  第2の部品
17s  上方部
18、19  主面
21  首部
24  拭き取り部材
27  突条、隆条
30  端部品
30a、30b  半体の端部品
31a、31b  平坦面
34  ヒンジ
36a、36b  端
40  筐体
43a、43b  中間部分
47  周囲
48  腕部
48i  下方部
50  突条
53  溝
60  空間
65  凸状起伏、突起
70  空洞
72  溝
74  空洞
75  凹状起伏
76  スパイク
80  起伏
83  隆起
88  貫通した開口
90  固定タブ
95  固定フック
100  歯
110  自由空間
120  フランジ
215  植毛繊維
217  スパイク
218  植毛被覆
219  スパイク
234  柔軟な紐
245  肩部
D  幅
da、db  厚さ
e  全体の厚さ
ea、eb  厚さ
L  幅
M  平面、正中面
P  化粧製品
S  対称の平面、直交平面
T  長手方向軸
X  長手方向軸
Z  長手方向軸
α  角度
β  角度
【図１】
0006545792.tif 000002
【図２】
0006545792.tif 000003
【図３】
0006545792.tif 000004
【図４】
0006545792.tif 000005
【図５】
0006545792.tif 000006
【図６】
0006545792.tif 000007
【図７】
0006545792.tif 000008
【図８】
0006545792.tif 000009
【図９】
0006545792.tif 000010
【図１０】
0006545792.tif 000011
【図１１】
0006545792.tif 000012
【図１２】
0006545792.tif 000013
【図１３】
0006545792.tif 000014
【図１４】
0006545792.tif 000015
【図１５】
0006545792.tif 000016
【図１６】
0006545792.tif 000017
【図１７】
0006545792.tif 000018
【図１８】
0006545792.tif 000019
【図１９】
0006545792.tif 000020
【図２０】
0006545792.tif 000021
【図２１】
0006545792.tif 000022
【図２２】
0006545792.tif 000023
【図２３】
0006545792.tif 000024
【図２４】
0006545792.tif 000025
【図２５】
0006545792.tif 000026
【図２６】
0006545792.tif 000027
【図２７】
0006545792.tif 000028
【図２８】
0006545792.tif 000029
【図２９】
0006545792.tif 000030
【図３０】
0006545792.tif 000031
【図３１】
0006545792.tif 000032
【図３２】
0006545792.tif 000033
【図３３】
0006545792.tif 000034
【図３４】
0006545792.tif 000035
【図３５】
0006545792.tif 000036
【図３６】
0006545792.tif 000037
【図３７】
0006545792.tif 000038
【図３８】
0006545792.tif 000039
【図３９】
0006545792.tif 000040
【図４０】
0006545792.tif 000041
【図４１】
0006545792.tif 000042
【図４２】
0006545792.tif 000043
【図４３】
0006545792.tif 000044
【図４４】
0006545792.tif 000045
【図４５】
0006545792.tif 000046
【図４６】
0006545792.tif 000047
【図４７】
0006545792.tif 000048
【図４８】
0006545792.tif 000049
【図４９】
0006545792.tif 000050
【図５０】
0006545792.tif 000051
【図５１】
0006545792.tif 000052
【図５２】
0006545792.tif 000053
【図５３】
0006545792.tif 000054
【図５４】
0006545792.tif 000055
【図５５】
0006545792.tif 000056
【図５６】
0006545792.tif 000057
【図５７】
0006545792.tif 000058
【図５８】
0006545792.tif 000059
【図５９】
0006545792.tif 000060
【図６０】
0006545792.tif 000061
【図６１】
0006545792.tif 000062
【図６２】
0006545792.tif 000063
【図６３】
0006545792.tif 000064
【図６４】
0006545792.tif 000065
【図６５】
0006545792.tif 000066
【図６６】
0006545792.tif 000067
【図６７】
0006545792.tif 000068
【図６８】
0006545792.tif 000069
【図６９】
0006545792.tif 000070
【図７０】
0006545792.tif 000071
【図７１】
0006545792.tif 000072
【図７２】
0006545792.tif 000073
【図７３】
0006545792.tif 000074
【図７４】
0006545792.tif 000075